(57)【特許請求の範囲】
【請求項１】
第１位置検出部と、表示部と、第２位置検出部を含む特定の携帯通信装置と通信する通信部と、制御部と、を備え、
前記制御部は、
前記通信部を介して、前記第２位置検出部により特定される位置が所定の範囲から外れると、当該所定の範囲から外れた後に、前記第２位置検出部により前記特定の携帯通信装置が検出する位置情報を自機に対して送信するように前記特定の携帯通信装置を制御し、
前記特定の携帯通信装置が送信する前記第２位置検出部により検出した当該位置情報を前記通信部により受信すると、受信した前記第２位置検出部により検出した当該位置情報及び前記第１位置検出部により検出した自機の位置情報を含む範囲の地図を前記表示部に表示させ、
前記地図を前記表示部に表示した後に、所定時間が経過する、又は、所定の操作を検出すると、受信した前記位置情報により特定される位置の周辺部分を拡大した画像を、前記自機の位置情報により特定される位置と、前記受信した位置情報により特定される位置と、の両方に重ならないように前記地図の一部に重ねて表示させる携帯通信装置。
【請求項２】
前記制御部は、前記拡大した画像を、前記自機の位置情報により特定される位置と、前記受信した位置情報により特定される位置と、の間に位置するよう表示させる
請求項１に記載の携帯通信装置。
【請求項３】
前記制御部は、前記特定の携帯通信装置の防犯機能として、スピーカから警報音を出力する機能が作動すると、当該特定の携帯通信装置から前記第２位置検出部により検出した前記位置情報を受信し、受信した前記第２位置検出部により検出した当該位置情報及び前記第１位置検出部で検出した前記自機の位置情報を含む範囲の地図を前記表示部に表示させる
請求項１または２に記載の携帯通信装置。
【請求項４】
表示部と、通信を行う第１通信部と、自機の位置を検出する第１位置検出部と、第１制御部と、を有する第１携帯通信装置と、
通信を行う第２通信部と、位置を検出する第２位置検出部と、第２制御部と、を有する第２携帯通信装置と、を備え、
前記第１制御部は、前記第１通信部を介して、前記第２位置検出部により特定される位置が所定の範囲から外れると、当該所定の範囲から外れた後に、前記第２位置検出部により前記特定の携帯通信装置が検出する位置情報を前記第１携帯通信装置に対して送信するように送信要求を前記第２携帯通信装置に送信し、
前記第２制御部は、前記第１携帯通信装置による位置情報の送信要求を検出した場合、前記第２位置検出部で検出した位置情報を前記第２通信部により前記第１携帯通信装置に送信し、
前記第１制御部は、
前記第２携帯通信装置が送信する前記第２位置検出部により検出した当該位置情報を前記第１通信部により受信すると、受信した前記第２位置検出部により検出した当該位置情報及び前記第１位置検出部により検出した自機の位置情報を含む範囲の地図を前記表示部に表示させ、
前記地図を前記表示部に表示した後に、所定時間が経過する、又は、所定の操作を検出すると、受信した前記位置情報により特定される位置の周辺部分を拡大した画像を、前記自機の位置情報により特定される位置と、前記受信した位置情報により特定される位置と、の両方に重ならないように前記地図の一部に重ねて表示させる通信システム。
【請求項５】
通信を行う通信部と表示部と第１位置検出部とを有する携帯通信装置を制御する方法であって、
第２位置検出部を含む特定の携帯通信装置から、前記第２位置検出部により前記特定の携帯通信装置が検出する位置情報を受信するステップと、
前記通信部を介して、前記第２位置検出部により特定される位置が所定の範囲から外れると、当該所定の範囲から外れた後に、前記第２位置検出部により前記特定の携帯通信装置が検出する当該位置情報を自機に対して送信するように前記特定の携帯通信装置を制御するステップと、
前記特定の携帯通信装置が送信する前記第２位置検出部により検出した当該位置情報を前記通信部により受信すると、受信した前記第２位置検出部により検出した当該位置情報及び前記第１位置検出部により検出した自機の位置情報を含む範囲の地図を前記表示部に表示させるステップと、
前記地図を前記表示部に表示した後に、所定時間が経過する、又は、所定の操作を検出すると、受信した前記位置情報により特定される位置の周辺部分を拡大した画像を、前記自機の位置情報により特定される位置と、前記受信した位置情報により特定される位置と、の両方に重ならないように前記地図の一部に重ねて表示させるステップと、
を含む通信方法。
【請求項６】
通信を行う通信部と表示部と第１位置検出部とを有する携帯通信装置に、
第２位置検出部を含む特定の携帯通信装置から、前記第２位置検出部により前記特定の携帯通信装置が検出する位置情報を受信するステップと、
前記通信部を介して、前記第２位置検出部により特定される位置が所定の範囲から外れると、当該所定の範囲から外れた後に、前記第２位置検出部により前記特定の携帯通信装置が検出する当該位置情報を自機に対して送信するように前記特定の携帯通信装置を制御するステップと、
前記特定の携帯通信装置が送信する前記第２位置検出部により検出した当該位置情報を前記通信部により受信すると、受信した前記第２位置検出部により検出した当該位置情報及び前記第１位置検出部により検出した自機の位置情報を含む範囲の地図を前記表示部に表示させるステップと、
前記地図を前記表示部に表示した後に、所定時間が経過する、又は、所定の操作を検出すると、受信した前記位置情報により特定される位置の周辺部分を拡大した画像を、前記自機の位置情報により特定される位置と、前記受信した位置情報により特定される位置と、の両方に重ならないように前記地図の一部に重ねて表示させるステップと、
を実行させる通信プログラム。
【発明の詳細な説明】
【技術分野】
【０００１】
本出願は、携帯通信装置、通信システム、通信方法及び通信プログラムに関する。
【背景技術】
【０００２】
近年、携帯電話機等の携帯通信装置には、小児、児童等の子供向けの携帯電話機がある。このような子供向けの携帯電話機は、誘拐等の犯罪に巻き込まれることを防ぐ目的で各種のセキュリティー機能（防犯機能）が実装されている。例えば、特許文献１には、セキュリティー機能を実装し、ユーザがストラップを引っ張った場合にセキュリティー機能を実行するように構成した携帯電話機が開示されている。セキュリティー機能としては、例えば、ブザー等の警報音を出力する機能、発光させる機能、所定登録先へメールを送信する機能、所定登録先への通話発信する機能等がある。また、セキュリティー機能としては、所定登録先へ送信するメールに自機の位置情報を添付する機能もある。子供向けの携帯電話機は、所定登録先として、任意の通信装置を登録することができるが、当該子供向けの携帯電話機を持っている対象者の保護者である両親、祖父母の携帯電話機、通信装置等がある。また、子供向けの携帯電話機は、所定登録先を警備会社や警察等とすることもできる。
【先行技術文献】
【特許文献】
【０００３】
【特許文献１】特開２０１１−１５１７５１号公報
【発明の概要】
【発明が解決しようとする課題】
【０００４】
ここで、所定登録先の通信装置は、子供向け携帯電話機でセキュリティー機能が実行され、位置情報を含むメールが送信された場合、表示部や音声出力部を用いて、取得した位置情報をユーザである保護者に報知する。ここで、所定登録先の通信装置は、位置情報を報知してもユーザが場所を理解しにくい場合がある。
【０００５】
上記のことから、特定の携帯通信装置の位置をより理解しやすくできる携帯通信装置、通信システム、通信方法及び通信プログラムに対する必要性がある。
【課題を解決するための手段】
【０００６】
１つの態様に係る携帯通信装置は、表示部と、特定の携帯通信装置から送信された位置情報を含む電子メールを受信する通信部と、自機の位置を検出する位置検出部と、受信した前記電子メールに含まれる位置情報及び前記位置検出部で検出した自機の位置情報を含む範囲の地図を前記表示部に表示させる制御部と、を有する。
【０００７】
１つの態様に係る通信システムは、表示部と、通信を行う第１通信部と、自機の位置を検出する第１位置検出部と、制御部と、を有する第１携帯通信装置と、通信を行う第２通信部と、位置を検出する第２位置検出部と、第２制御部と、を有する第２携帯通信装置と、を備え、前記第１制御部は、前記第１通信部により前記第２携帯通信装置に位置情報の送信要求を送信させ、前記第２制御部は、前記第１携帯通信装置による位置情報の送信要求を検出した場合、前記第２位置検出部で検出した位置情報を含む電子メールを前記第１通信部により前記第１携帯通信装置に送信させ、前記第１制御部は、前記第２携帯通信装置から送信された位置情報を含む電子メールを前記第１通信部により受信した場合、受信した前記電子メールに含まれる前記位置情報及び前記第１位置検出部で検出した自機の位置情報を含む範囲の地図を前記表示部に表示させる。
【０００８】
１つの態様に係る通信方法は、通信を行う通信部と表示部と位置検出部とを有する携帯通信装置を制御する方法であって、特定の携帯通信装置から送信された位置情報を含む電子メールを前記通信部により受信するステップと、受信した前記電子メールに含まれる前記位置情報及び前記位置検出部で検出した自機の位置情報を含む範囲の地図を前記表示部に表示させるステップと、を含む。
【０００９】
１つの態様に係る通信プログラムは、通信を行う通信部と表示部と位置検出部とを有する携帯通信装置に、特定の携帯通信装置から送信された位置情報を含む電子メールを前記通信部により受信するステップと、受信した前記電子メールに含まれる前記位置情報及び前記位置検出部で検出した自機の位置情報を含む範囲の地図を前記表示部に表示させるステップと、を実行させる。
【図面の簡単な説明】
【００１０】
【図１】図１は、本発明の携帯通信装置を有する通信システムの概略構成を示す説明図である。
【図２】図２は、実施形態に係る第１携帯電話機の外観上の概略構成を示す正面図である。
【図３】図３は、図２に示す第１携帯電話機の外観上の概略構成を示す側面図である。
【図４】図４は、図２、図３に示す第１携帯電話機の機能構成を示すブロック図である。
【図５】図５は、実施形態に係る第２携帯電話機の外観上の概略構成を示す正面図である。
【図６】図６は、図５に示す第２携帯電話機の機能構成を示すブロック図である。
【図７】図７は、第１携帯電話機と第２携帯電話機との間で実行される処理の一例を示す図である。
【図８】図８は、第１携帯電話機と第２携帯電話機との間で実行される処理の一例を示すシーケンス図である。
【図９】図９は、第１携帯電話機の表示部に表示される画面の一例を示す図である。
【図１０】図１０は、第１携帯電話機の表示部に表示される画面の一例を示す図である。
【図１１】図１１は、第１携帯電話機の表示部に表示される画面の一例を示す図である。
【図１２】図１２は、第２携帯電話機で実行される処理の一例を示すフローチャートである。
【図１３】図１３は、第１携帯電話機で実行される処理の一例を示すフローチャートである。
【発明を実施するための形態】
【００１１】
本出願に係る携帯通信装置、通信システム、通信方法及び通信プログラムを実施するための実施形態を、図面を参照しつつ詳細に説明する。以下の説明により、本出願に係る携帯通信装置、通信システム、通信方法及び通信プログラムが限定されるものではない。以下の説明における構成要素には、当業者が容易に想定できるもの、実質的に同一のもの、いわゆる均等の範囲のものが含まれる。以下においては、携帯通信装置の一例として携帯電話機を取り上げるが、本発明の適用対象は携帯電話機に限定されるものではなく、通信が可能な他の装置に対しても適用できる。携帯通信装置として、例えば、タッチスクリーンを有する多機能携帯電話（スマートフォン）、ＰＨＳ（Ｐｅｒｓｏｎａｌ  Ｈａｎｄｙ−Ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン、ゲーム機等を用いても本発明は適用できる。
【００１２】
図１は、本発明の携帯通信装置を有する本発明の通信システムの概略構成を示す説明図である。図１に示す通信システム１は、ＧＰＳ衛星２と、通信網３と、複数の基地局４と、サーバ６と、複数の第１携帯電話機１０、１０ａ、１０ｂと第２携帯電話機５０、５０ａ、５０ｂで構成されている。
【００１３】
ＧＰＳ衛星２は、ＧＰＳ（Global  Positioning  System、全地球測位システム）の通信機能を備える通信装置（通信端末、通信機器）に、該通信装置の位置情報を送信（提供）する衛星である。なお、図１でＧＰＳ衛星２を３つのみ示したが、ＧＰＳ衛星２は、通信装置の位置を特定するために必要な数が配置されている。複数のＧＰＳ装置２は、通信装置の位置情報の特定に必要な情報（ＧＰＳ衛星２の位置情報や時間情報）を出力する。通信装置は、ＧＰＳ衛星２から出力される情報を取得し、解析することで、自身の位置情報を取得する。例えば、通信装置は、３つまたは４つのＧＰＳ衛星２から出力されるＧＰＳ信号の差分に基づいて、自身の位置を特定する。
【００１４】
通信網（コアネットワーク）３は、交換機や、有線の通信回線で構成されている。通信網３は、有線、無線の通信回線を用いて、基地局４を介して、第１携帯電話機１０、１０ａ、１０ｂまたは第２携帯電話機５０、５０ａ、５０ｂと、他の通信装置（他の携帯通信装置、固定型の通信装置、サーバ６）との間での情報通信を行う。通信網３は、通信装置間で通信を行うことができれば、種々の通信方法を用いることができる。例えば、衛星回線を利用して通信を行ってもよい。第１携帯電話機１０、１０ａ、１０ｂまたは第２携帯電話機５０、５０ａ、５０ｂは、自機以外の第１携帯電話機１０、１０ａ、１０ｂまたは第２携帯電話機５０、５０ａ、５０ｂを他の通信装置とすることもできる。
【００１５】
基地局４は、無線により第１携帯電話機１０、１０ａ、１０ｂまたは第２携帯電話機５０、５０ａ、５０ｂと通信信号の送受信を行う通信機器である。通信信号とは、通話や、メールの送受信や、インターネット通信を行うために、送受信するデータの信号である。また、基地局４は、通信網３と接続しており、通信網３と接続している通信端末と通信（通信信号を送受信）することができる。このように、基地局４は、通信網３と接続しており、第１携帯電話機１０、１０ａ、１０ｂまたは第２携帯電話機５０、５０ａ、５０ｂと無線で通信を行うことで、通信網３を利用した第１携帯電話機１０、１０ａ、１０ｂまたは第２携帯電話機５０、５０ａ、５０ｂの通信を中継する。なお、基地局４は、中継局を介して第１携帯電話機１０、１０ａ、１０ｂまたは第２携帯電話機５０、５０ａ、５０ｂと通信を行うようにしてもよい。
【００１６】
サーバ６は、呼び出し音や着信音の情報、呼び出し音及び着信音の制御条件、これらの制御プログラム、各通信装置を特定する情報（電話番号、アドレス）等種々のデータを有する。サーバ６は、通信網３及び基地局４を介して第１携帯電話機１０、１０ａ、１０ｂまたは第２携帯電話機５０、５０ａ、５０ｂと通信し、種々の情報を供給する。また、サーバ６は、通信装置から情報を受信しその情報に基づいて他の通信装置に情報を送信する、情報の中継も行う。
【００１７】
第１携帯電話機１０、１０ａ、１０ｂは、基地局４を介して通信網３との間で無線通信を行う通信端末である。第１携帯電話機１０は、音声信号等の信号を通信網３に送信し、通信網３から音声信号等の信号を受信する。また、それぞれの携帯通信装置には、固有の電話番号、端末番号が割り当てられ、記憶されている。第１携帯電話機１０、１０ａ、１０ｂの構成については、後ほど説明する。
【００１８】
第２携帯電話機５０、５０ａ、５０ｂは、基地局４を介して通信網３との間で無線通信を行う通信端末である。第２携帯電話機５０は、音声信号等の信号を通信網３に送信し、通信網３から音声信号等の信号を受信する。それぞれの携帯通信装置には、固有の電話番号、端末番号が割り当てられ、記憶されている。なお、第２携帯電話機５０、５０ａ、５０ｂは、通信網３を用いて実行する通信が、第１携帯電話機１０、１０ａ、１０ｂよりも制限されている。第２携帯電話機５０、５０ａ、５０ｂの構成については、後ほど説明する。なお、以下では、第１携帯電話機１０、１０ａ、１０ｂを特に区別しない場合、第１携帯電話機１０として説明し、第２携帯電話機５０、５０ａ、５０ｂを特に区別しない場合、第２携帯電話機５０として説明する。
【００１９】
通信システム１は、以上のような構成である。通信システム１は、ユーザの操作により第１携帯電話機１０に発信操作が入力されると、第１携帯電話機１０から通信網３に対して、発信信号と通信先の電話番号の情報が送られる。通信網３は、入力された通信先の電話番号が割り当てられている第１携帯電話機１０を検索し、通信先の第１携帯電話機１０に着信を通知する。その後、通信先の第１携帯電話機１０で通話開始の操作が入力されたら、通信網３を介して通信を行う。つまり、通信システム１は、基地局４及び通信網３を介して情報の送受信を行うことで、第１携帯電話機１０間で通信を行う。
【００２０】
通信システム１は、第１携帯電話機１０間の通信と同様に第１携帯電話機１０と第２携帯電話機５０との間での通信を行うことができる。通信システム１は、第１携帯電話機１０と同様に、ユーザの操作により第２携帯電話機５０に発信操作が入力されると、基地局４及び通信網３で情報の送受信を行い、通信先の通信装置との間で通信を行う。なお、通信システム１は、通信端末間での通信は、音声通信に限定されず、データの送受信も行う。第１携帯電話機１０及び第２携帯電話機５０は、ＧＰＳ衛星２から出力されたＧＰＳ信号を処理することで位置情報を取得することもできる。
【００２１】
本実施形態の通信システム１は、第１携帯電話機１０と第２携帯電話機５０とが対応付けられている。通信システム１は、対応付けられた第１携帯電話機１０と第２携帯電話機５０との間で、他の通信装置とは異なる処理が可能となる。特定の第１携帯電話機１０は、特定の第２携帯電話機５０の動作を制御することができる。例えば、特定の第１携帯電話機１０は、特定の第２携帯電話機５０の着信可能な電話番号の設定、発信可能な電話番号の設定及び音声の出力方式の設定を行うことができる。特定の第２携帯電話機５０は、特定の第１携帯電話機１０からの指示に対応する処理を実行する。通信システム１は、基本的に特定の第１携帯電話機１０を保護者が所持し、特定の第２携帯電話機５０を対象者、つまり保護者によって保護される者が所持する。保護者によって保護される者は、主に幼児、小学生等の小児、児童であるが、高齢者、ペット等としてもよい。通信システム１は、第１携帯電話機１０と第２携帯電話機５０とが１対１である必要はなく、１台の第１携帯電話機１０が複数台の特定の第２携帯電話機５０と対応付けられていてもよく、１台の第２携帯電話機５０が複数台の特定の第１携帯電話機１０と対応付けられていてもよい。
【００２２】
通信システム１は、サーバ６、第１携帯電話機１０及び第２携帯電話機５０の数は、図１に示す数に限定されない。通信システム１は、多数の、サーバ６と、第１携帯電話機１０と第２携帯電話機５０と、を備えることができる。図１では、通信システム１の通信網３で通信を行う機器、つまり通信網３で通信可能な機器として、第１携帯電話機１０、１０ａ、１０ｂ、第２携帯電話機５０、５０ａ、５０ｂ及びサーバ６のみを示したが、これには限定されない。通信システム１は、通信網３を介して、公衆通信網で通信可能な種々の通信装置間で通信を実行できる。例えば、ＰＣ（Personal  Computer）等の情報通信機能を備える固定型の情報端末や、有線の電話回線を介して通信網３と接続された電話装置（固定電話）との間でも通信を実行できる。
【００２３】
次に、図２から図４を用いて第１携帯電話機１０について説明する。図２は、実施形態に係る第１携帯電話機の外観上の概略構成を示す正面図である。図３は、図２に示す第１携帯電話機の外観上の概略構成を示す側面図である。図２及び図３に示すように、第１携帯電話機１０は、折り畳み式の筐体を有する。具体的には、第１携帯電話機１０の筐体１０Ｃは、図２に示すように、第１筐体１０ＣＡと第２筐体１０ＣＢとで開閉可能に構成される。第１携帯電話機１０の筐体は、このような構造に限定されるものではない。例えば、第１携帯電話機１０の筐体は、第１携帯電話機１０を構成する２つの筐体を重ね合わせた状態から一方の筐体と他方の筐体とを互いにスライドできるようにしたスライド式の筐体であってもよい。あるいは、第１携帯電話機１０の筐体は、第１携帯電話機１０を構成する２つの筐体の重ね合わせ方向に沿う軸線を中心として一方の筐体を回転させるようにしたもの、２軸ヒンジを介して両方の筐体を連結したものでもよい。あるいは、第１携帯電話機１０は、図２及び図３に示すように、複数の筐体を連結したものには限定されず、スマートフォンのように、筐体が単一の構造であってもよい。
【００２４】
図２に示すように、第１筐体１０ＣＡと第２筐体１０ＣＢとは、連結部であるヒンジ機構１８で連結されている。ヒンジ機構１８で第１筐体１０ＣＡと第２筐体１０ＣＢとを連結することにより、第１筐体１０ＣＡ及び第２筐体１０ＣＢは、ヒンジ機構８を中心としてともに回動して、図３の矢印Ｒで示す方向に回動できるように構成される。すなわち、第１筐体１０ＣＡ及び第２筐体１０ＣＢは、互いに遠ざかる方向、又は互いに接近する方向に回動できる。図３の点線に示すように、第１携帯電話機１０が折り畳まれた状態にある場合に、第１筐体１０ＣＡと第２筐体１０ＣＢとが互いに遠ざかる方向に回動すると、図３の実線に示すように、携帯電話機１が開いた状態になる。図３の実線に示すように、第１携帯電話機１０が開いた状態にある場合に、第１筐体１０ＣＡと第２筐体１０ＣＢとが互いに接近する方向に回動すると、図３の点線で示すように、携帯電話機１が折り畳まれた状態となる。
【００２５】
第１筐体１０ＣＡには、表示部として、図２に示すディスプレイ１２が設けられる。ディスプレイ１２は、第１携帯電話機１０が受信を待機している状態のときに待ち受け画像を表示したり、第１携帯電話機１０の操作を補助するために用いられるメニュー画像を表示したりする。また、第１筐体１０ＣＡには、第１携帯電話機１０の通話時に音声を出力する出力手段であるレシーバ２３が設けられる。
【００２６】
第２筐体１０ＣＢには、操作キー２４Ａと、方向及び決定キー２４Ｂとが設けられる。操作キー２４Ａは、通話相手の電話番号、又はメール作成時等の文字の入力に用いられる。方向及び決定キー２４Ｂには、ディスプレイ１２に表示されるメニューの選択及び決定、あるいは画面のスクロール等を容易に実行するために用いられる。操作キー２４Ａと方向及び決定キー２４Ｂとは、第１携帯電話機１０の操作部２４を構成する。また、第２筐体１０ＣＢには、第１携帯電話機１０の通話時に音声を受け取る音声取得手段であるマイク２１が設けられる。操作部２４は、図３に示す、第２筐体１０ＣＢの操作面１０ＰＣに設けられる。操作面１０ＰＣとは反対側の面が、第１携帯電話機１０の背面１０ＰＢである。なお、操作部２４は、上述のキー構成に代えて、表示部上に配置されたタッチセンサであってもよい。
【００２７】
図４は、図２、図３に示す第１携帯電話機１０の機能構成を示すブロック図である。図４に示すように、第１携帯電話機１０は、マイク２１と、スピーカ２２と、レシーバ２３と、操作部２４と、加速度センサ２５と、表示部２６と、カメラ２７と、通信部２８と、音声処理部３０と、ＧＰＳ通信部３２と、記憶部３４と、制御部４０とを有する。
【００２８】
マイク２１は、例えば、通話時の音声、音声検索の利用時にユーザが発する音声、ノイズキャンセル処理時に利用する音など、種々の音を取得する。スピーカ２２は、例えば、第１携帯電話機１０の筐体１０Ｃ内に配置されており、着信音やメールの送信音等を出力する。レシーバ２３は、例えば、通話時の音声などを出力する。
【００２９】
操作部２４は、上述したように、操作キー２４Ａと、方向及び決定キー２４Ｂとを有し、図３に示す第２筐体１０ＣＢの操作面１０ＰＣに設けられる。操作キー２４Ａには、例えば、電源キー、通話キー、数字キー、文字キー、方向キー、決定キー、発信キー等の機能が割り当てられ、方向及び決定キー２４Ｂには、例えば、方向キー、決定キーの機能が割り当てられる。そして、これらのキーがユーザの操作により入力されると、操作部２４は、その操作内容に対応する信号を発生させる。発生した信号は、ユーザの指示として制御部４０へ入力される。
【００３０】
加速度センサ２５は、第１携帯電話機１０に印加される加速度の方向及び大きさを検出する。加速度センサ２５の検出結果は、例えば、第１携帯電話機１０の方位が分かれば、第１携帯電話機１０の姿勢の変化、あるいは第１携帯電話機１０の移動の有無を判定する場合などに用いることもできる。
【００３１】
表示部２６は、上述したように、ディスプレイ１２を有し、制御部４０から供給される映像データに応じた映像や画像データに応じた画像を表示パネルに表示させる。ディスプレイ１２は、例えば、液晶ディスプレイ（ＬＣＤ、Ｌｉｑｕｉｄ  Ｃｒｙｓｔａｌ  Ｄｉｓｐｌａｙ）、又は有機ＥＬ（Ｏｒｇａｎｉｃ  Ｅｌｅｃｒｏ−Ｌｕｍｉｎｅｓｃｅｎｃｅ）パネルなどで構成された表示パネルで構成される。表示部２６は、ディスプレイ１２に加え、サブディスプレイを有していてもよい。カメラ２７は、撮影した画像を取得する。
【００３２】
通信部２８は、アンテナ２８ａを有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、後述する第２携帯電話機５０との間で電話通信及び情報通信を行う。
【００３３】
音声処理部３０は、マイク２１に入力される音声信号、スピーカ２２及びレシーバ２３から出力される音声信号の処理を実行する。すなわち、音声処理部３０は、マイク２１から入力される音声を増幅し、アナログデジタル変換を実行した後、さらに符号化等の信号処理を施し、デジタルの音声データに変換してから制御部４０へ出力する。また、制御部４０から送られる音声データの復号化、デジタルアナログ変換、増幅等の処理を施し、アナログの音声信号に変換してからスピーカ２２及びレシーバ２３へ出力する。
【００３４】
ＧＰＳ通信部３２は、ＧＰＳ衛星２から出力されるＧＰＳ信号を受信する通信部である。また、ＧＰＳ通信部３２は、出力されるＧＰＳ信号を受信し解析することで第１携帯電話機１０の緯度経度を算出し、算出した緯度経度の情報を制御部４０に送る。具体的には、ＧＰＳ通信部３２は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部３２は、ＧＰＳ衛星２からの距離と各ＧＰＳ衛星２の位置情報を解析することで、自身の位置を算出する。
【００３５】
記憶部３４は、オペレーティングシステムプログラム及びアプリケーションプログラム等、制御部４０での処理に利用される各種プログラム及び各種データを記憶する。例えば、記憶部３４には、表示部２６の動作を制御するアプリケーションプログラムを作動させるタスク、通信部２８の動作を制御するアプリケーションプログラムを作動させるタスク及び音声処理部３０の動作を制御するアプリケーションプログラムを作動させるタスクなどが記憶されている。また、記憶部３４には、これらのタスク以外にも、例えば、通信、ダウンロードされた音声データ、あるいは記憶部３４に対する制御に制御部４０が用いるプログラム、通信相手の電話番号及びメールアドレス等が記述されたアドレス帳、発信音及び着信音等の音声ファイル、プログラムに基づく処理過程で用いられる一時的なデータ等が記憶される。
【００３６】
本実施形態において、記憶部３４は、少なくとも、他の携帯電話機との間で通話を含む通信を行うためのプログラム、特定の第２携帯電話機の動作を制御し、かつ、特定の第２通信装置から送信された電子メールを処理する制御プログラム３４ａ、ＧＰＳ通信部３２の動作を制御し、位置情報を取得するための位置取得プログラム３４ｂ等が記憶される。記憶部３４は、制御プログラム３４ａで処理する対象の第２携帯電話機５０を特定するための条件及び第２携帯電話機５０から受信した電子メールを処理する条件を記憶する条件データ３４ｃが記憶される。
【００３７】
制御部４０は、記憶部３４に記憶されている各種プログラムに基づいて処理を実行する。制御部４０は、例えば、マイクロプロセッサユニット（ＭＰＵ：Ｍｉｃｒｏ  Ｐｒｏｃｅｓｓｉｎｇ  Ｕｎｉｔ）で構成され、記憶部３４に記憶されるプログラムから命令コードを順次読み込んで、読み込んだ命令コードで指示された手順に従って第１携帯電話機１０の各種の処理を実行する。すなわち、制御部４０は、第１携帯電話機１０の各種の処理が、操作部２４の操作、及び第１携帯電話機１０の記憶部３４に記憶されるプログラムに応じて適切な手順で実行されるように、表示部２６、通信部２８及び音声処理部３０等の動作を制御する。
【００３８】
制御部４０は、例えば、制御プログラム３４ａを実行することにより、特定の第２通信装置５０に当該特定の第２通信装置５０の位置情報を返信する指示を含む電子メールを送信する制御を実行することができる。制御部４０は、例えば、制御プログラム３４ａを実行することにより、特定の第２通信装置５０から送信された電子メールを処理する制御を実行することができる。具体的には、制御部４０は、特定の第２通信装置５０から送信された電子メールから必要な情報を抽出して、特定の第２通信装置５０の位置を示す地図を表示部２６に表示させる制御を実行することができる。制御部４０は、例えば、位置取得プログラム３４ｂを実行することにより、ＧＰＳ通信部３２の動作を制御し、自機の位置情報を取得する制御を実行することができる。
【００３９】
次に、第２携帯電話機５０について説明する。図５は、実施形態に係る第２携帯電話機５０の外観上の概略構成を示す正面図である。図５に示すように、第２携帯電話機５０は、筐体の上面にストラップ５１が設けられている。第２携帯電話機５０は、筐体の正面に各種画像を表示するディスプレイ５２と、操作入力に用いられる操作部５３と、音声を出力するレシーバ５６が設けられている。
【００４０】
図６は、図５に示す第２携帯電話機５０の機能構成を示すブロック図である。図６に示すように、第２携帯電話機５０は、操作部５３と、マイク５４と、スピーカ５５と、レシーバ５６と、表示部５７と、通信部５８と、音声処理部６０と、スイッチ部材６１と、スイッチ位置検出部６２と、ＧＰＳ通信部６４と、記憶部６８と、制御部７０と、を有する。
【００４１】
操作部５３は、例えば、数字キー、方向キー、決定キー、発信キー等の機能が割り当てられた複数のキーを有する。そして、これらのキーがユーザの操作により入力されると、操作部５３は、その操作内容に対応する信号を発生させる。発生した信号は、ユーザの指示として制御部７０へ入力される。
【００４２】
マイク５４は、例えば、音声検索の利用時にユーザが発する音声、ノイズキャンセル処理時に利用する音など、種々の音を取得する。スピーカ５５は、例えば、第１携帯電話機１０の筐体１０Ｃ内に配置されており、着信音やメールの送信音等を出力する。レシーバ５６は、例えば、通話時の音声などを出力する。
【００４３】
表示部５７は、ディスプレイ５２を有し、制御部７０から供給される映像データに応じた映像や画像データに応じた画像を表示パネルに表示させる。
【００４４】
通信部５８は、アンテナ５１を有し、基地局によって割り当てられるチャネルを介し、基地局との間でＣＤＭＡ（Ｃｏｄｅ  Ｄｉｖｉｓｉｏｎ  Ｍｕｌｔｉｐｌｅ  Ａｃｃｅｓｓ）方式などによる無線信号回線を確立し、基地局を介して、例えば、上述した第１携帯電話機１０との間で電話通信及び情報通信を行う。
【００４５】
音声処理部６０は、マイク５４に入力される音声信号、スピーカ５５及びレシーバ５６から出力される音声信号の処理を実行する。
【００４６】
スイッチ部材６１は、筐体の上側に配置されており、ストラップ５１と接続されている。スイッチ部材６１は、ストラップ５１が筐体に対して引っ張られることで筐体に対して移動可能な構造である。ユーザは、ストラップ５１を手掛かりとして、スイッチ部材６１を操作する。スイッチ部材６１は、ストラップ５１に引っ張られることで、筐体の上面に対して突出するように移動する。スイッチ部材６１は、初期位置とストラップに引っ張られて初期位置から移動した突出位置とへ切替移動が可能な構成となっている。
【００４７】
スイッチ位置検出部６２は、対象者の操作状態、具体的には、スイッチ部材６１の位置を検出している。スイッチ位置検出部６２は、スイッチ部材６１が初期位置にある場合、操作状態が第１操作状態であるとして、第１操作信号を制御部７０へ向けて出力する。また、スイッチ位置検出部６２は、スイッチ部材６１が突出位置にある場合、操作状態が第２操作状態であるとして、第２操作信号を制御部７０へ向けて出力する。制御部７０は、スイッチ位置検出部６２から第１操作信号が出力されているか、第２操作信号が出力されているかでスイッチ部材６１の位置を特定する。なお、スイッチ位置検出部６２は、スイッチ位置が初期位置にある場合、操作信号を出力せず、スイッチ部材６１が突出位置にある場合のみ操作信号を出力するようにしてもよい。
【００４８】
ＧＰＳ通信部６４は、ＧＰＳ衛星２から出力されるＧＰＳ信号を受信する通信部である。また、ＧＰＳ通信部６４は、出力されるＧＰＳ信号を受信し解析することで第２携帯電話機５０の緯度経度を算出し、算出した緯度経度の情報を制御部７０に送る。具体的には、ＧＰＳ通信部６４は、複数のＧＰＳ衛星２からＧＰＳ信号を取得し、ＧＰＳ信号に含まれる時間情報と取得した時間情報との時間差や、受信した伝播電波の強度等によりそれぞれのＧＰＳ衛星２からの距離を算出する。ＧＰＳ通信部６４は、ＧＰＳ衛星２からの距離と各ＧＰＳ衛星２の位置情報を解析することで、自身の位置を算出する。
【００４９】
記憶部６８は、制御部７０での処理に利用される各種プログラム及び各種データを記憶する。本実施形態において、記憶部６８には、少なくとも、第１携帯電話機１０から送信された電子メールに基づいて実行する処理を決定し動作を制御するプログラム、ユーザの操作に基づいて通信を制御するプログラム及びＧＰＳ通信部６４を用いて位置の検出を実行するプログラムが記憶される。
【００５０】
制御部７０は、記憶部６８に記憶されている各種プログラムに基づいて処理を実行する。制御部７０は、例えば、マイクロプロセッサユニットで構成され、記憶部６８に記憶されるプログラムから命令コードを順次読み込んで、読み込んだ命令コードで指示された手順に従って第２携帯電話機５０の各種の処理を実行する。
【００５１】
具体的には、制御部７０は、ユーザがストラップ５１を引っ張り、スイッチ部材６１が突出位置に移動したことをスイッチ位置検出部６２で検出した場合、スピーカ５５から防犯用のブザー音を出力させ、防犯機能が作動したことを示す電子メールを第１携帯電話機１０に送信する。制御部７０は、通信部５８を介して、第１携帯電話機１０から位置情報の通知の返信要求を受信すると、位置測位を実行し、測位した位置情報を通信部５８により第１携帯電話機１０に返信する。
【００５２】
以上のように第２携帯電話機５０は、防犯機能が作動した場合、または、第１携帯電話機１０から返信の要求があった場合、位置情報を検出し、検出した位置情報を特定の第１携帯電話機１０に送る。第２携帯電話機５０は、第１携帯電話機１０により設定された条件を満たす場合、位置情報を検出し、検出した位置情報を特定の第１携帯電話機１０に送るようにしてもよい。設定された条件としては、例えば、周期または時間帯等の時間の条件や、設定された範囲の外に出る等の位置の条件がある。
【００５３】
以下、図７から図１３を用いて、通信システム１の動作、特に対応付けられた特定の第１携帯電話機１０と特定の第２携帯電話機５０とで実行される処理動作について説明する。図７及び図８を用いて、第１携帯電話機１０と第２携帯電話機５０との間で実行される処理の一例を説明する。図７は、第１携帯電話機と第２携帯電話機との間で実行される処理の一例を示す図である。図８は、第１携帯電話機と第２携帯電話機との間で実行される処理の一例を示すシーケンス図ある。図７は、通信システム１のうち、１つの第１携帯電話機１０と１つの第２携帯電話機５０の通信ユニット１００のみを示している。第１携帯電話機１０と第２携帯電話機５０とは、予め対応付けられており特定の処理を実行可能な設定となっている。通信ユニット１００は、第１携帯電話機１０が親端末となり、第２携帯電話機５０が子端末となる。図７に示す通信ユニット１００ａ、１００ｂは、通信ユニット１００と同じ第１携帯電話機１０と第２携帯電話機５０とで構成され、かつ時間が異なる状態を示している。図７は、時間が経過することで、通信ユニット１００の状態から通信ユニット１００ａの状態に遷移し、通信ユニット１００ａの状態から通信ユニット１００ｂの状態に遷移する。図８は、図７に示す処理をシーケンス図で示している。
【００５４】
図７及び図８に示すように、通信ユニット１００は、ステップＳ１として、第１携帯電話機１０から第２携帯電話機５０に現在位置要求コマンドを出力（送信）し、第１携帯電話機１０から出力された現在位置要求コマンドを第２携帯電話機５０が受信する。つまり、第１携帯電話機１０は、ステップＳ１として第２携帯電話機５０の位置情報要求を送信し、当該位置情報要求を第２携帯電話機５０が受信する。第１携帯電話機１０は、電子メールに位置情報要求を示すコマンドを含めることで、当該コマンドを第２携帯電話機５０に送信することができる。なお、コマンドと実行する処理との関係は、第１携帯電話機１０及び第２携帯電話機５０の両方に予め記憶されている。
【００５５】
第２携帯電話機５０は、ステップＳ１で位置情報要求を受信したら、通信ユニット１００に示すようにステップＳ２として、第２携帯電話機５０、つまり自機の位置情報を取得する。第２携帯電話機５０は、ＧＰＳ通信部６４によりＧＰＳ信号を受信し、受信したＧＰＳ信号を解析して自機の現在の位置の情報を取得する。通信ユニット１００は、ステップＳ２の処理を実行したら、通信ユニット１００ａの状態に移行する。
【００５６】
通信ユニット１００ａは、ステップＳ３として、第２携帯電話機５０から第１携帯電話機１０に第２携帯電話機５０の位置情報を返信する。つまり、第２携帯電話機５０は、ステップＳ２で取得した位置情報を第１携帯電話機１０に送信する。本実施形態の第２携帯電話機５０は、位置情報を含む電子メールを第１携帯電話機１０に送る。第１携帯電話機１０は、第２携帯電話機５０から送信された第２携帯電話機５０の位置情報を受信する。本実施形態の第１携帯電話機１０は、第２携帯電話機５０から送信された電子メールを受信することで、第２携帯電話機５０の位置情報を受信する。通信ユニット１００ａ、ステップＳ３の処理を実行したら、通信ユニット１００ｂの状態に移行する。
【００５７】
第１携帯電話機１０は、ステップＳ３で第２携帯電話機５０の位置情報を受信したら、通信ユニット１００ｂに示すようにステップＳ４として、第１携帯電話機１０、つまり自機の位置情報を取得する。第１携帯電話機１０は、ＧＰＳ通信部３２によりＧＰＳ信号を受信し、受信したＧＰＳ信号を解析して自機の現在の位置情報を取得する。通信システム１は、通信ユニット１００、１００ａ、１００ｂに示すように、ステップＳ１からステップＳ４の処理を実行し、第１携帯電話機１０に第１携帯電話機１０の位置情報と第２携帯電話機５０の位置情報を取得させる。なお、図７及び図８の処理のステップＳ３とステップＳ４の処理は順序が逆でもよい。つまり、第１携帯電話機１０は、自機の位置情報を取得した後、第２携帯電話機５０の位置情報を取得してもよい。
【００５８】
次に、図９から図１１を用いて、第１携帯電話機１０の位置情報と第２携帯電話機５０の位置情報を取得した第１携帯電話機１０で実行する処理について説明する。図９から図１１は、それぞれ第１携帯電話機の表示部に表示される画面の一例を示す図である。第１携帯電話機１０は、第１携帯電話機１０の位置情報と第２携帯電話機５０の位置情報を取得した場合、図９に示すように、２台の位置を示す地図画像１１０をディスプレイ１２に表示させる。地図画像１１０は、第１携帯電話機１０の位置情報と第２携帯電話機５０の位置情報との両方を含む範囲の地図である。地図画像１１０は、マーク１１２とマーク１１４とを含む。マーク１１２は、第２携帯電話機５０の位置を示している。マーク１１４は、第１携帯電話機１０の位置を示している。
【００５９】
通信システム１及び第１携帯電話機１０は、図９に示すように第２携帯電話機５０の位置情報を取得した場合、第１携帯電話機１０の位置情報も取得して、第１携帯電話機１０の位置情報と第２携帯電話機５０の位置情報の両方の位置を含む地図を表示させる。これにより、通信システム１及び第１携帯電話機１０は、第１携帯電話機１０のユーザに第１携帯電話機１０の位置と第２携帯電話機５０の位置との相対関係をよりわかりやすく表示させることができる。これにより、第１携帯電話機１０は、ユーザである保護者に対して、自身の位置と第２携帯電話機５０のユーザである保護の対象者の位置との相対関係をわかりやすい状態で示すことができる。ユーザである保護者は、相対的な位置関係が把握できることで、第２携帯電話機５０がある位置に土地勘がない状態でも、第２携帯電話機５０の位置を把握しやすくすることができる。
【００６０】
第１携帯電話機１０は、図９に示すマーク１１２、１１４を含む地図画像１１０をディスプレイ１２に表示させている状態で、設定した条件が満たされた場合、ディスプレイ１２に図１０に示す地図画像１２０を表示させる。なお、設定した条件としては、所定時間の経過や、設定した操作の検出等がある。地図画像１２０は、地図画像１１０の一部、具体的には、第２携帯電話機５０の位置を含む範囲の地図である。つまり、地図画像１２０は、地図画像１１０の範囲のうち、第２携帯電話機５０の位置の周辺部分を拡大した画像である。地図画像１２０は、マーク１１２ａとテキスト１２２とを含む。マーク１１２ａは、第２携帯電話機５０の位置を示している。テキスト１２２は、第２携帯電話機５０の位置の住所である。
【００６１】
通信システム１及び第１携帯電話機１０は、地図画像１１０を示している状態で、所定の条件が満たされた場合、図１０に示す第２携帯電話機５０の位置の周辺部分を拡大して示す地図画像１２０を表示させることで、第２携帯電話機５０の位置をより正確に把握することができる。つまり、ユーザは、図９に示す地図画像１１０で相対位置を把握し、その後、地図画像１２０で第２携帯電話機５０の正確な位置を把握することができる。これにより、例えば、第２携帯電話機５０を探している場合、どの位置にいるかを見つけやすくすることができる。
【００６２】
第１携帯電話機１０は、図９に示すマーク１１２、１１４を含む地図画像１１０をディスプレイ１２に表示させている状態で、設定した条件が満たされた場合、ディスプレイ１２に図１１に示す地図画像１１０ａを表示させてもよい。地図画像１１０ａは、地図画像１１０と同じ範囲の地図の画像であり、マーク１１２と、マーク１１４と地図画像１３０とを含む。つまり、地図画像１１０ａは、地図画像１１０の上に地図画像１３０を重ねた画像である。地図画像１３０は、地図画像１１０ａの一部、具体的には、マーク１１２とマーク１１４の両方に重ならない領域に表示されている。地図画像１３０は、地図画像１１０の一部、具体的には、第２携帯電話機５０の位置を含む範囲の地図である。つまり、地図画像１３０は、地図画像１１０の範囲のうち、第２携帯電話機５０の位置の周辺部分を拡大した画像である。地図画像１３０は、マーク１１２ｂとテキスト１３２とを含む。マーク１１２ｂは、第２携帯電話機５０の位置を示している。テキスト１３２は、第２携帯電話機５０の位置の住所である。
【００６３】
通信システム１及び第１携帯電話機１０は、地図画像１１０を示している状態で、所定の条件が満たされた場合、図１１に示す地図画像１１０ａを表示させることで、自身の位置と第２携帯電話機５０の位置との相対位置を把握しつつ、第２携帯電話機５０の位置をより正確に把握することができる。つまり、ユーザは、地図画像１１０ａの地図画像１１０と同様の構成の部分で相対位置を把握し、かつ、地図画像１３０で第２携帯電話機５０の正確な位置を把握することができる。これにより、例えば、第２携帯電話機５０を探している場合、どの位置にいるかを見つけやすくすることができる。なお、通信システム１及び第１携帯電話機１０は、地図画像１１０を表示させずに地図画像１１０ａを最初に表示させてもよい。
【００６４】
次に、図１２を用いて、第２携帯電話機５０で実行する処理について説明する。図１２は、第２携帯電話機で実行される処理の一例を示すフローチャートである。図１２に示す処理は、第２携帯電話機５０の制御部７０が記憶部６８に記憶されたプログラムを処理して各動作を実行することで実現することができる。
【００６５】
制御部７０は、ステップＳ３０として位置情報要求を受信すると、ステップＳ３２として、ＧＰＳ信号を受信し、位置を特定する。つまり、制御部７０は、ＧＰＳ通信部６４を用いてＧＰＳ信号を受信し、受信したＧＰＳ信号を処理して第２携帯電話機５０の位置を特定する。制御部７０は、ステップＳ３２で位置を特定したら、ステップＳ３４として、第１携帯電話機１０に位置情報を出力し、本処理を終了する。つまり制御部７０は、取得した位置情報を対応付けられている特定の第１携帯電話機１０に出力する。位置情報の出力方法は、特に限定されないが、上述したように電子メールとして出力することが好ましい。
【００６６】
図１２に示す例では、ステップＳ３０で位置情報要求を受信した場合としたが、ステップＳ３０はこれに限定されない。第２携帯電話機５０は、上述したように位置情報を送信するトリガーとなる各種条件を満たしたと判定した場合、図１２の処理を実行すればよい。
【００６７】
次に、図１３を用いて、第１携帯電話機１０で実行する処理について説明する。図１３は、第１携帯電話機で実行される処理の一例を示すフローチャートである。図１３に示す処理は、第１携帯電話機１０の制御部４０が記憶部３４に記憶されたプログラムを処理して各動作を実行することで実現することができる。
【００６８】
制御部４０は、ステップＳ４０として、位置情報要求を第２携帯電話機５０に送信し、ステップＳ４２として、第２携帯電話機５０から送信された位置情報を受信する。つまり、制御部４０は、ステップＳ４２で第２携帯電話機５０の位置情報を取得する。制御部４０は、ステップＳ４２で位置情報を受信したら、ステップＳ４４として、ＧＰＳ信号を受信し、自端末である第１携帯電話機１０の位置を特定する。
【００６９】
制御部４０は、ステップＳ４４で位置を特定、つまり位置情報を取得したら、ステップＳ４６として、第２携帯電話機５０の位置と第１携帯電話機１０の位置とに基づいて地図の範囲、縮尺を特定する。具体的には、第２携帯電話機５０の位置と第１携帯電話機１０の位置との両方が入る範囲を抽出し、抽出した範囲がディスプレイ１２に表示される縮尺を決定する。地図の範囲は、第１携帯電話機１０の位置と第２携帯電話機５０の位置との両方が、画面の端部、つまり範囲の端から一定の割合以上離れた位置となるように決定する。また、地図の範囲は、第２携帯電話機５０の位置が画面の中心から一定の距離以内となるように決定してもよい。
【００７０】
制御部４０は、ステップＳ４６で地図の範囲と縮尺を特定したら、ステップＳ４８として、使用する地図データを抽出する。つまり、制御部４０は、使用する範囲と縮尺に対応する地図の画像データを抽出する。地図データは、記憶部３８に記憶してもよいし、通信部２８を用いた通信でサーバ３等の外部の通信装置から取得してもよい。
【００７１】
制御部４０は、ステップＳ４８で使用する地図データを抽出したら、ステップＳ５０として、地図データ上に第２携帯電話機５０と第１携帯電話機１０の位置の表示、つまりマークの表示を追加する。制御部４０は、ステップＳ５０で位置の表示を追加したら、ステップＳ５２として表示部２６、本実施形態ではディスプレイ１２に表示させる。
【００７２】
制御部４０は、ステップＳ５２で地図を表示したら、ステップＳ５４として第２携帯電話機５０用の地図を表示するかを判定する。制御部４０は、設定した条件を満足した場合、第２携帯電話機５０用の地図を表示すると判定する。ここで、第２携帯電話機５０用の地図とは、図１０及び図１１に示すように、第２携帯電話機５０の位置を拡大して示す地図である。
【００７３】
制御部４０は、ステップＳ５４で地図を表示しない（ステップＳ５４でＮｏ）と判定した場合、ステップＳ６４に進む。制御部４０は、ステップＳ５４で地図を表示する（ステップＳ５４でＹｅｓ）と判定した場合、ステップＳ５６として、第２携帯電話機５０の位置に基づいて地図の範囲、縮尺を特定する。具体的には、第２携帯電話機５０の位置が入る範囲を抽出し、抽出した範囲がディスプレイ１２に表示される縮尺を決定する。地図の範囲は、予め設定した大きさの範囲としてもよい。また、地図の縮尺は、予め設定した縮尺としてもよい。
【００７４】
制御部４０は、ステップＳ５６で地図の範囲と縮尺を特定したら、ステップＳ５８として、使用する地図データを抽出する。つまり、制御部４０は、使用する範囲と縮尺に対応する地図の画像データを抽出する。
【００７５】
制御部４０は、ステップＳ５８で使用する地図データを抽出したら、ステップＳ６０として、地図データ上に第２携帯電話機５０の位置の表示、つまりマークの表示を追加する。制御部４０は、ステップＳ６０で位置の表示を追加したら、ステップＳ６２として表示部２６、本実施形態ではディスプレイ１２に第２携帯電話機用の地図を表示させる。なお、ステップＳ６０で作成した地図画像は、ディスプレイ１２の一部に表示させてもよく、全体に表示させてもよい。
【００７６】
制御部４０は、ステップＳ６２の処理を行ったら、またはステップＳ５４でＮｏと判定した場合、ステップＳ６４として表示終了かを判定する。制御部４０は、ステップＳ６４で表示終了ではない（ステップＳ６４でＮｏ）と判定した場合、ステップＳ５４に進み、上記処理を繰り返す。制御部４０は、ステップＳ６４で表示終了（ステップＳ６４でＹｅｓ）と判定した場合、本処理を終了する。
【００７７】
第１携帯電話機１０は、第２携帯電話機５０に位置情報の要求を送信して、第２携帯電話機５０の位置情報を取得したが本発明はこれに限定されない。第１携帯電話機１０は、第２携帯電話機５０から送信された位置情報を受信した場合、位置情報の送信処理のトリガーの種類によらず同様の制御を行うことができる。
【００７８】
上述した実施形態の通信システム１は、第１携帯電話機１０で第２携帯電話機５０の位置と自機の位置の表示が追加された地図データを作成した場合としたが、これに限定されない。例えば、第１携帯電話機１０は、第２携帯電話機５０の位置と自機の位置の表示が追加された地図データをサーバ６から取得してもよい。この場合、第１携帯電話機１０は、第２携帯電話機５０の位置情報と、自機の位置情報と、第２携帯電話機５０の位置及び自機の位置を含む地図データの取得要求６と、をサーバ６に送信する。サーバ６は、第１携帯電話機１０から送信された地図データの取得要求、第２携帯電話機５０の位置情報及び第１携帯電話機１０の位置情報を受信すると、第２携帯電話機５０と第１携帯電話機１０との位置情報を含む地図データを作成する。サーバ６は、地図データを含む電子メールを第１携帯電話機１０に送信する。第１携帯電話機１０は、サーバ６から送信された地図データを含む電子メールを受信すると、当該地図データをディスプレイ２Ａに表示する。ここで、サーバ６は、地図データを含む電子メールを送信してもよいが、地図データのリンク先を示すアドレスを添付した電子メールを送信してもよい。第１携帯電話機１０は、地図データのリンク先を示すアドレスを添付した電子メールを受信した場合、当該アドレスにアクセスすることで第２携帯電話機５０及び自機の位置情報を含む地図データを取得することができる。
【００７９】
通信システム１は、このように、サーバ６で第２携帯電話機５０と第１携帯電話機１０との位置の表示が追加された地図データを作成することで、第１携帯電話機１０で実行する処理を少なくすることができる。つまり、第１携帯電話機１０は、取得した第２携帯電話機５０の位置情報、自機の位置情報及び当該自機及び第２携帯電話機の位置情報を含む地図データの取得要求を送信するのみで、第２携帯電話機５０の位置と自機の位置の表示が追加された地図データを取得することができる。
【００８０】
通信システム１は、第１携帯電話機１０と第２携帯電話機５０で送受信される情報をサーバ６で監視し、情報を取得、加工してもよい。サーバ６は、第２携帯電話機５０から第１携帯電話機１０に送信される情報を解析し、第２携帯電話機５０の位置情報を取得してもよい。この場合、第１携帯電話機１０は、第１携帯電話機１０の位置情報、及び、第２携帯電話機５０の位置情報と第１携帯電話機１０の位置情報とを含む地図データの取得要求を送信することで、地図データを取得することができる。また、サーバ６は、第２携帯電話機５０から送信される位置情報を含む電子メールに基づいて第２携帯電話機５０の位置情報とランドマークとを含む地図データを作成し、当該電子メールに作成した地図データのリンク先を示すアドレスを添付し、第１携帯電話機１０に送信してもよい。つまり、通信システム１は、第２携帯電話機５０から第１携帯電話機１０に送信される位置情報を含む電子メールに作成した地図データのリンク先を示すアドレスを添付してもよい。この場合、第１携帯電話機１０は、当該アドレスへのアクセス時に自機の位置情報を送信する。サーバ６は、送信された第１携帯電話機の位置情報を当該地図に付加し、地図の範囲、倍率を調整し、作成した地図の情報を当該アドレスに割り付ける。これにより、第１携帯電話機１０のユーザは、リンク先の地図データを取得することで、当該地図を表示部に表示させることができる。
【００８１】
また、上記実施形態では、第２携帯電話機５０が自機の位置情報を送信したが、これに限定されない。第１携帯電話機１０は、第２携帯電話機５０で送信された位置情報を含む情報を受信した場合、当該位置情報を含む地図データを表示すればよい。すなわち、第１携帯電話機１０は、第２携帯電話機５０で送信された当該第２携帯電話機５０以外の携帯電話機の位置情報を受信した場合も、同様に当該位置情報を含む地図データを表示することができる。
【００８２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【００８３】
上記の実施形態では、第１携帯電話機１０として折り畳み式の携帯電話機を一例として説明した。添付の請求項に係る第１携帯通信装置は、携帯電話機以外の電子メールの送受信機能を備えた各種通信機器であってもよい。通信機器は、例えばスマートフォン、タブレット、パソコン、デジタルカメラ、メディアプレイヤ、電子書籍リーダ、ナビゲータ、テレビジョン受信機、及びゲーム機である。
【符号の説明】
【００８４】
１  通信システム
１０、１０ａ、１０ｂ  第１携帯電話機
１０Ｃ  筐体
２１、５４  マイク
２２、５５  スピーカ
２３、５６  レシーバ
２４、５３  操作部
２５  加速度センサ
２６、５７  表示部
２７  カメラ
２８、５８  通信部
３０、６０  音声処理部
３２、６４  ＧＰＳ通信部
３４、６８  記憶部
４０、７０  制御部
４２  通知設定判定部
４４  位置情報取得部
５０、５０ａ、５０ｂ  第２携帯電話機
６１  スイッチ部材
６２  スイッチ位置検出部
【図１】
0006314183.tif 000002
【図２】
0006314183.tif 000003
【図３】
0006314183.tif 000004
【図４】
0006314183.tif 000005
【図５】
0006314183.tif 000006
【図６】
0006314183.tif 000007
【図７】
0006314183.tif 000008
【図８】
0006314183.tif 000009
【図９】
0006314183.tif 000010
【図１０】
0006314183.tif 000011
【図１１】
0006314183.tif 000012
【図１２】
0006314183.tif 000013
【図１３】
0006314183.tif 000014